(57)【要約】【課題】視聴者に表示位置の移動による違和感を与えることなく放送番組の表示時、ＥＰＧやＧＵＩ画像の表示時に表示装置の焼き付きを回避する。【解決手段】視聴中のチャンネルにおいて、次番組の放送開始やＣＭ映像の挿入などのタイミングをＳＩ情報やメタデータなどの番組属性情報から取得する。属性情報において次番組やＣＭ挿入の時刻を検出し、当該時刻で表示部の表示領域に表示する映像データを変更する。映像データの変更は、有効映像データ領域から表示領域に適用する表示用映像データの領域を設定する際に、当該領域の座標情報を変更する処理によって実行される。【選択図】図１
2007221269.tif 000002
【特許請求の範囲】
【請求項１】
放送番組を表示部に表示する表示用映像データを生成する表示信号制御装置であって、
前記表示部に表示可能な映像データを生成する生成手段と、
前記表示部に表示する前記放送番組の属性情報を取得する取得手段と、
前記生成手段で生成された映像データの有効映像データ領域内から、前記表示部に表示する表示用映像データ領域を設定する設定手段と、を有し、
前記設定手段は、前記取得手段で取得した属性情報に基づいて、前記表示用映像データ領域を変更することを特徴とする表示信号制御装置。
【請求項２】
前記属性情報は、前記放送番組の放送開始時刻を示す情報を含み、
前記設定手段は、前記放送開始時刻に前記表示用映像データ領域を変更することを特徴とする請求項１に記載の表示信号制御装置。
【請求項３】
前記表示用映像データ領域は座標値によって予め複数設定されており、
前記設定手段は複数の座標値から一つを選択することを特徴とする請求項１に記載の表示信号制御装置。
【請求項４】
放送番組を表示部に表示する表示用映像データを生成する表示信号制御装置であって、
前記表示部に表示可能な映像データを生成する生成手段と、
ユーザの指示に基づいて前記表示部にグラフィックデータを表示する表示手段と、
前記生成手段で生成された映像データの有効映像データ領域内から、前記表示部に表示する表示用映像データ領域を設定する設定手段と、を有し、
前記設定手段は、前記表示手段によってグラフィックデータが前記表示部に表示された場合は、前記表示用映像データ領域を変更することを特徴とする表示信号制御装置。
【請求項５】
前記表示用映像データ領域は座標値によって予め複数設定されており、
前記設定手段は、複数の座標値から一つを選択することを特徴とする請求項４に記載の表示信号制御装置。
【請求項６】
放送番組を表示部に表示する表示用映像データを生成する表示信号制御装置であって、
ユーザの指示に基づいて前記表示部に表示するグラフィックデータを生成する生成手段と、
前記表示部に表示されたグラフィックデータを操作するための指示入力を受け付ける受付手段と、
前記生成手段で生成されたグラフィックデータの表示位置を設定する設定手段と、を有し、
前記受付手段で指示入力を受け付けた際、前記設定手段は、前記生成手段によって生成された当該指示入力に対応するグラフィックデータの表示位置を、前記指示入力の受付以前に表示されていたグラフィックデータの表示位置と異なる位置に設定することを特徴とする表示信号制御装置。
【請求項７】
前記グラフィックデータの表示位置は座標値によって予め複数設定されており、
前記設定手段は複数の座標値から一つを選択することを特徴とする請求項６に記載に表示信号制御装置。
【請求項８】
放送番組を表示部に表示する表示用映像データを生成する表示信号制御方法であって、
前記表示部に表示可能な映像データを生成する生成工程と、
前記表示部に表示する前記放送番組の属性情報を取得する取得工程と、
前記生成工程で生成された映像データの有効映像データ領域内から、前記表示部に表示する表示用映像データ領域を設定する設定工程と、を有し、
前記設定工程は、前記取得工程で取得した属性情報に基づいて、前記表示用映像データ領域を変更することを特徴とする表示信号制御方法。
【請求項９】
前記属性情報は、前記放送番組の放送開始時刻を示す情報を含み、
前記設定工程は、前記放送開始時刻に前記表示用映像データ領域を変更することを特徴とする請求項８に記載の表示信号制御方法。
【請求項１０】
前記表示用映像データ領域は座標値によって予め複数設定されており、
前記設定工程は、複数の座標値から一つを選択することを特徴とする請求項８に記載の表示信号制御方法。
【請求項１１】
放送番組を表示部に表示する表示用映像データを生成する表示信号制御方法であって、
前記表示部に表示可能な映像データを生成する生成工程と、
ユーザの指示に基づいて前記表示部にグラフィックデータを表示する表示工程と、
前記生成工程で生成された映像データの有効映像データ領域内から、前記表示部に表示する表示用映像データ領域を設定する設定工程と、を有し、
前記設定工程は、前記表示工程でグラフィックデータが前記表示部に表示された場合は、前記表示用映像データ領域を変更することを特徴とする表示信号制御方法。
【請求項１２】
前記表示用映像データ領域は座標値によって予め複数設定されており、
前記設定工程は、複数の座標値から一つを選択することを特徴とする請求項１１に記載の表示信号制御方法。
【請求項１３】
放送番組を表示部に表示する表示用映像データを生成する表示信号制御方法であって、
ユーザの指示に基づいて前記表示部に表示するグラフィックデータを生成する生成工程と、
前記表示部に表示されたグラフィックデータを操作するための指示入力を受け付ける受付工程と、
前記生成工程で生成されたグラフィックデータの表示位置を設定する設定工程と、を有し、
前記受付工程で指示入力を受け付けた際、前記設定工程は、前記生成工程で生成された当該指示入力に対応するグラフィックデータの表示位置を、前記指示入力の受付以前に表示していたグラフィックデータの表示位置と異なる位置に設定することを特徴とする表示信号制御方法。
【請求項１４】
前記グラフィックデータの表示位置は座標値によって予め複数設定されており、
前記設定工程は、複数の座標値から一つを選択することを特徴とする請求項１３に記載に表示信号制御方法。
【請求項１５】
請求項８乃至１４のいずれか１項に記載の表示信号制御方法の手順をコンピュータに実行させるためのプログラム。
【請求項１６】
請求項１５に記載された表示信号制御方法の手順をコンピュータに実行させるためのプログラムが記憶されたコンピュータ可読記憶媒体。
【発明の詳細な説明】
【技術分野】
【０００１】
本発明は、出力される映像信号による表示装置における焼き付き現象を回避する手段を備えた表示信号制御装置、表示信号制御方法、プログラム及び記憶媒体に関する。
【背景技術】
【０００２】
所謂ブラウン管と一般に呼ばれている冷陰極線管（ＣＲＴ）ディスプレイ、プラズマディスプレイ等蛍光体を使用する表示装置において、長時間にわたり同一の画像を表示し続けると、一部の明るく表示された部分のみ蛍光体の劣化が進む。従って、この一部分のみ蛍光体の発光量が減少し、所謂焼き付きが発生する。したがって、この焼き付きが視認され、輝度ムラとして残る。たとえば、図１３の（ａ）参照。
【０００３】
１６：９のアスペクト比を有する表示装置に、４：３のアスペクト比を有する放送番組の映像信号を、４：３のアスペクト比を保ったまま表示すると、無画部と表示部の境界で焼き付きが起きる。また１６：９のアスペクト比を有する放送番組（フル画面表示状態）であっても、チャンネルロゴや野球放送のスコア等の同じキャラクタ等の表示が長時間続く場合、ロゴやキャラクタのエッジ部などが表示されたパネル位置に焼き付きが発生しやすい。たとえば、図１３の（ｃ）参照。
【０００４】
また、電子番組表（以下ＥＰＧ（Electronic Program Guide）とする）や、各種設定・調整用のグラフィカルユーザーインターフェース（以下ＧＵＩ（Graphic User Interface）とする）画像を長時間表示する場合がある。このような場合には、このＥＰＧやＧＵＩ画像自体がコントラストの高い静止画であるため焼き付きを引き起こしやすい。
【０００５】
上記する放送番組表示時の焼き付きを回避する方法の一つとして、番組の表示位置を固定させず、移動させる方法がある。
【０００６】
特許文献１には、画像の表示位置を一定時間ごとに移動させる方法、また、特許文献２には、表示画面中の特定領域の連続表示時間が規定値を超えた場合に、画像の表示位置を移動させる方法が開示されている。さらに特許文献３には、テレビジョン放送の受信チャンネル（放送局）を変える度に放送番組の表示位置を移動させる方法、ならびに、映像信号において、前フレームと現フレームの差分が大きい場合に、画像の表示位置を移動させる方法が開示されている。
【０００７】
また上記のＥＰＧやＧＵＩ画像による焼き付きを回避する方法としては、特許文献４に開示されているように、ＧＵＩ画像を表示したまま一定時間経過すると、ＧＵＩ画像の表示の輝度を下げる方法がある。さらに、特許文献５に開示されているように、ＧＵＩ画像の表示位置や表示輝度を１フィールド毎にランダムに変化させる方法も考えられている。またさらには、特許文献６に開示されているように、アイコン画像を表示する度に異なる表示位置に表示する方法が開示されている。
【特許文献１】特開平２−２６８５７９号公報
【特許文献２】特開平５−１６７８７４号公報
【特許文献３】特開２００４−３２８５２０号公報
【特許文献４】特開平７−１７０４６５号公報
【特許文献５】特開平１０−６３２２４号公報
【特許文献６】特開２００３−１９５８５２号公報
【発明の開示】
【発明が解決しようとする課題】
【０００８】
しかしながら、特許文献１や特許文献２に開示されている技術では、焼き付き現象は回避できるものの、放送番組の表示位置が移動するので、その移動が視聴者に知覚され、視聴者に違和感を与えてしまう。
【０００９】
また上記特許文献３に開示されているような、放送チャンネルの切り替え時毎に放送番組の表示位置を移動させる技術では、放送チャンネルを変えない限り番組表示位置の移動がなされない。したがって、同じチャンネルの放送番組を長時間視聴するような場合には、焼き付きが発生してしまう恐れがある。さらに、同じく特許文献３に開示されている、前フレームと現フレームの差分が大きい場合に、表示画面の切り替え、即ちシーンチェンジ等を検出して放送番組の表示位置の移動を行う技術であればチャンネルの切り替えが無くても焼き付きは回避できる。しかしながら、１つの放送番組中にもシーンチェンジは数多く発生する。そのためシーンチェンジによる制御では、放送番組の表示位置の移動が、視聴者に知覚されてしまう。たとえば、図１３の（ａ）と（ｂ）や、（ｃ）、（ｄ）のように移動させた場合である。
【００１０】
図１３（ａ）に対して、図１３（ｂ）は画像の表示領域を中央から左側に移動させた場合を極端に描いている。また、図１３（ｃ）に対して図１３（ｄ）は映像データそのものを表示画面に向かって左側に移動させた場合を極端に描いたものである。なお、特許文献３はそもそもサイドパネルやレターボックス表示における映像表示領域と映像非表示領域の境界部における焼き付きを防止するための技術である。フル画面表示がされている状態では、表示位置の移動処理は実行しない。即ち、特許文献３に開示の技術では、フル画面表示時におけるチャンネルロゴやキャラクタによって生じる焼き付きへの対処ができない。さらに、このシーンチェンジによる方法と上記チャンネル変更による方法を組み合わせても、視聴者に違和感を与えてしまうことは回避できない。
【００１１】
他方、ＥＰＧもしくはＧＵＩ画像による焼き付きを回避するための従来技術である、特許文献４、特許文献５に開示されている技術では、ＥＰＧもしくはＧＵＩ画像による焼き付きは回避できる。しかしながら、特許文献４に記載の技術では、ＥＰＧもしくはＧＵＩ画像の表示が突然暗くなってしまい、視聴者に違和感を与えてしまう。
【００１２】
また、特許文献５に記載の技術では、１フィールド単位に画像の表示位置の移動または輝度の変化が視聴者に知覚され、上記特許文献１や２、３と同様に違和感を与えてしまう。また、上記特許文献６に開示されている技術において、当該文献におけるアイコン画像をＥＰＧもしくはＧＵＩ画像と想定すると、これらの画像の表示位置を移動させるためには、一度画像の表示をオフして再度表示する必要がある。そのため、表示位置の移動の頻度が低く、焼き付き現象の低減効果が充分ではなかった。仮に表示位置の移動を頻繁に行うとすると、短時間で画像表示のオン・オフを繰り返さなければならず、ユーザにとっては非常に使い勝手の悪い装置となってしまう可能性がある。
【００１３】
したがって本発明は、上述した課題を解決し、どのような視聴状態にあっても視聴者に違和感を与えることなく焼き付きを回避することが可能な表示信号制御装置、表示信号制御方法、プログラム及び記憶媒体を提供することを目的とする。
【課題を解決するための手段】
【００１４】
上記の目的を達成するために、本発明の実施形態における表示信号制御装置は、放送番組を表示部に表示する表示用映像データを生成する表示信号制御装置であって、前記表示部に表示可能な映像データを生成する生成手段と、前記表示部に表示する前記放送番組の属性情報を取得する取得手段と、前記生成手段で生成された映像データの有効映像データ領域内から、前記表示部に表示する表示用映像データ領域を設定する設定手段と、を有し、前記設定手段は、前記取得手段で取得した属性情報に基づいて、前記表示用映像データ領域を変更することを特徴とする。
【００１５】
上記の目的を達成するために、本発明の他の実施形態における表示信号制御装置は、放送番組を表示部に表示する表示用映像データを生成する表示信号制御装置であって、前記表示部に表示可能な映像データを生成する生成手段と、ユーザの指示に基づいて前記表示部にグラフィックデータを表示する表示手段と、前記生成手段で生成された映像データの有効映像データ領域内から、前記表示部に表示する表示用映像データ領域を設定する設定手段と、を有し、前記設定手段は、前記表示手段によってグラフィックデータが前記表示部に表示された場合、前記表示用映像データ領域を変更することを特徴とする。
【００１６】
上記の目的を達成するために、本発明のさらに他の実施形態における表示信号制御装置は、放送番組を表示部に表示する表示用映像データを生成する表示信号制御装置であって、ユーザの指示に基づいて前記表示部に表示するグラフィックデータを生成する生成手段と、前記表示部に表示されたグラフィックデータを操作するための指示入力を受け付ける受付手段と、前記生成手段で生成されたグラフィックデータの表示位置を設定する設定手段と、を有し、前記受付手段で指示入力を受け付けた際、前記設定手段は、前記生成手段によって生成された当該指示入力に対応するグラフィックデータの表示位置を、前記指示入力の受付以前に表示されていたグラフィックデータの表示位置と異なる位置に設定することを特徴とする。
【００１７】
上記の目的を達成するために、本発明のさらに他の実施形態における表示信号制御方法は、放送番組を表示部に表示する表示用映像データを生成する表示信号制御方法であって、前記表示部に表示可能な映像データを生成する生成工程と、前記表示部に表示する番組の属性情報を取得する取得工程と、前記生成工程で生成された映像データの有効映像データ領域内から、前記表示部に表示する表示用映像データ領域を設定する設定工程と、を有し、前記設定工程は、前記取得工程で取得した属性情報に基づいて、前記表示用映像データ領域を変更することを特徴とする。
【発明の効果】
【００１８】
本発明によれば、テレビジョン受信装置やテレビジョン表示装置の通常の使用中において、視聴者に知覚させることなしに、表示装置の焼き付き現象を回避することが可能となる。
【発明を実施するための最良の形態】
【００１９】
以下、本発明にかかるテレビジョン放送信号の受信装置に適用した実施形態につき説明する。尚、以下の説明は、地上波デジタル放送、ＢＳデジタル放送等、デジタルテレビジョン放送の受信を前提として説明する。
【００２０】
＜実施形態１＞
図１は本発明の第１の実施形態に係るテレビジョン放送信号の受信装置の構成例を示すブロック図である。本受信装置は装置の外部に存在するアンテナ１０から放送波が入力されるものとして説明する。そして、本受信装置にはチューナ部１１、デコーダ部（映像データの生成手段）１２、表示位置制御部１３、番組変化検出部１４および制御部１５が備えられている。また本受信装置には、表示部１６や音声出力部１７も一体的に設けられるが、表示部１６や音声出力部１７は、受信装置とは別体の表示装置及び音声出力装置として設けられる場合もありうる。
【００２１】
アンテナ１０で受信したテレビジョン放送信号は、チューナ部１１に入力される。チューナ部１１は、制御部１５の制御により、受信すべきチャンネルの情報（周波数、ＴＳ_ＩＤ）を得る。得られたチャンネルの情報に基づいて、受信周波数を切り替えることで、所望のチャンネルのＴＳ（トランスポートストリーム）信号をデコーダ部１２に出力する。
【００２２】
デコーダ部１２において実行されるビデオおよびオーディオの信号の復号化処理を、図２のブロック図を用いて説明する。
【００２３】
チューナ部１１より入力されたＴＳ信号は、復調部１０１において復調され、エラー訂正部１０２においてエラー訂正される。デマルチプレクサ部１０３では、ビデオ、オーディオ、ＰＳＩ（Program Specific Information）等が多重化されたＴＳ信号のデマルチプレックス（信号分離処理）を行う。デマルチプレックスされたビデオ信号およびオーディオ信号は、復号化部１０４においてそれぞれ復号化される。また、図３に示すＰＩＤ（パケットＩＤ）で指定される各種ＰＳＩセクションは、このデマルチプレクサ部１０３でフィルタリングされる。そして、放送番組に関する情報を得るために必要なＳＩ（Service Information）情報等が取得され、後述する番組変化検出部１４、制御部１５に出力される。
【００２４】
再び図１に戻り、番組変化検出部１４について説明する。この番組変化検出部１４では、次の放送番組への切り替わりや、コマーシャル（以下ＣＭ（Commercial Message）とも言う）への切り替わり等の番組の内容変化を所定の取得情報を用いて検出する。この番組の内容変化は、視聴者が放送番組の表示位置の移動を知覚出来ないタイミングで行われる。
【００２５】
次の放送番組への切り替わりの検出方法としては、番組の放送時刻を図３に示すＥＩＴを取得することで特定し、ＴＤＴの時刻情報と共に管理することで可能となる。これにより正確に次番組の開始タイミングを検出できる。
【００２６】
ここでＥＩＴ等のＳＩ情報について説明する。ＳＩ情報は、ＳＤＴ（Service Description Table）、ＥＩＴ（Event Information Table）、ＢＡＴ（Bouquet Association Table）およびＴＤＴ（Time Date Table）の四つのテーブルからなる。このうち、放送番組固有の情報が記述されているのがＥＩＴで、図４にその詳細を示す。
【００２７】
ＥＩＴにおける記述子は、
１．短形式イベント記述子（番組名および番組の簡単な内容を示す）、
２．拡張形式イベント記述子（番組の詳細内容を項目毎に示す）、
３．コンポーネント記述子（番組を構成している各コンポーネントの情報を示す。例えば、放送している映像品質やアスペクト比、あるいは音声のステレオやモノラルなど）、
４．コンテント記述子（番組のジャンルや特性について示す）からなる。
【００２８】
またコマーシャルのタイミングの検出方法としては、音声多重モードへの切り替えを検出する方法がある。また別の方法として、特公平６−６６７３８号公報に開示されているように、無音区間およびシーンチェンジを利用したコマーシャル区間検出方法等がある。
【００２９】
本実施形態におけるコマーシャルのタイミングの検出方法は、これらの公知の検出方法を用いることができる。また、他の如何なる検出方法を用いてもよい。もちろん、ＣＭ放送の開始時間と終了時間がＳＩ情報に記述されている場合は、番組の放送時刻の検出と同様、番組中のＣＭの放送時刻を検出することが可能となる。
【００３０】
なお、番組やＣＭの放送時間の検出手法は、ＳＩ情報のＥＩＴを用いることに限定されない。例えば、ＸＭＬ等に代表されるマークアップ言語で記述されたメタデータなどを利用することも可能である。通常放送だけでなく、サーバ型放送やＩＰ放送などの次世代放送環境では、番組などのコンテンツを当該コンテンツの内容や制御属性を記述したメタデータを用いて制御することが考えられている。メタデータでは、シーン毎の放送時間やその内容を記述することが可能である。即ち、メタデータもＳＩ情報も番組コンテンツの属性情報であり、この属性情報を取得することで、本発明の番組変化を検出する処理を実現することが可能となる。
【００３１】
表示位置制御部１３では、制御部１５の制御に基づいて表示部に表示する表示用映像データを有効映像データ領域内で移動する処理を実行する。つまり、所定の条件に合致した場合には、有効映像データ領域の中から表示用映像データに設定される領域を変更する処理を実行するものである。この表示位置制御部１３において実行される番組表示位置の移動処理の方式例について図５に示した概念図を用いて説明する。
【００３２】
通常、テレビジョン放送信号はオーバースキャンされることを前提としている。放送局から送信される映像データには、有効映像データ領域の他に、垂直方向及び水平方向にそれぞれブランキング領域を有している。ここで、映像部分のうち、番組映像などが表示される領域を有効映像データ領域とし、映像データ領域以外をブランキング領域とする。表示装置では、表示装置の表示可能領域にこれらのブランキング領域が表示されることが無いように、復調された映像信号の有効映像データ領域に対して、９０％から９５％程度の切り出し処理を実行する。この例を図５に示す。図５では、有効映像データ領域が水平１９２０画素、垂直１０８０画素の映像データを９０％でオーバースキャンする場合を示している。１９２０×１０８０画素の映像データは、それぞれ水平１９２０ｘ０．９（＝１７２８）画素、垂直１０８０ｘ０．９（＝９７２）画素にトリミング（切り出し処理）される（図５の（ｂ）参照）。即ち、１００％の映像データ領域のうち、水平及び垂直方向がともに９０％のサイズとなる表示用映像データ領域が切り出される。そしてこのトリミングされた映像データは表示部１６の解像度（画素数）に応じてスケーリング処理される。例えば表示部１６の解像度が水平１９２０画素、垂直１０８０画素の画像であれば、水平、垂直方向共に１０／９倍に拡大処理される（図５の（ｃ）参照）。
【００３３】
このように構成することで、表示装置の表示画面エリアには、受信した有効映像データ領域の９０％分がフルサイズで表示されることになる。従来、この切り出し処理は、常に一定の切り出し位置（画素の座標）により行われていた。オーバースキャンにおける切り出しの縮尺は、受信装置のメーカーによって決定されている。そのため、切り出される画像領域の画素座標は、その縮尺に応じて自ずと確定される。一般的には、切り出し処理するのに用いるレジスタに確定された座標値が格納され、切り出し処理部（不図示）は、この座標値を用いて切り出し処理を実行する。なお、本実施形態では、表示位置制御部１３が切り出し処理部及びスケーリング処理部を有するものとする。
【００３４】
本発明では、図５の（ａ）において、５１、５２として示すように、通常行われるオーバースキャンの切り出しの位置を変える処理を実行する。即ち、当該処理では、有効映像データ領域内から表示部の表示領域に表示する表示用映像データ領域を番組変更時やＣＭ移行時などに逐次移動させることを意味している。
【００３５】
また、放送番組の表示位置をどのように移動させるかについては、視聴者に知覚されにくくするために一回の移動量を小さくするのが好適である。また、如何なる方向の画像エッジの焼き付きに対応するためにも、なるべく水平、垂直方向共に移動するのが好ましい。そのため、例えば図６に示すように、オーバースキャンの切り出しにおける基準点をジグザグに移動させることが好ましい。図６は４×４の画素領域における切り出しの基準点の移動を示す図である。図中の１つの矢印は一回の移動を示している。まず、図６の（ａ）のように移動させた後、図６の（ｂ）のように移動させることで、４Ｘ４画素の範囲で満遍なく移動させることが出来る。もちろん上記の移動の仕方は１例であり、移動させる順序や方向は、視聴者に移動が知覚されないように設計すればよい。また、移動範囲（図６の場合は４×４画素領域）は切り出す縮尺に応じて決定される映像サイズが映像信号で送信される画像領域の外側を含まないように適宜設定すればよい。本発明を実装するための一つの形態を以下に示す。
【００３６】
上述したように、従来の映像データ切り出し処理は、単一の切り出し基準位置（座標値）を用いていた。それに対して本発明の好適な実施形態の一例では、予め定められた複数の切り出し基準位置を用いるように構成する。例えば、予め定められた複数の切り出し基準位置（画素座標値）を移動させる順序にてテーブル（不図示）に格納しておく。なお、テーブルの構成はどのようなものでもよい。番組の変化が生じたことを番組変化検出部１４が検出すると、制御部１５は次の切り出し基準位置を用いて画像を切り出す。そのため、表示位置制御部１３での画像の切り出しに用いる画素座標値を格納しているレジスタの値を、次の切り出し基準位置の画素座標値で書き換える。表示位置制御部１３は書き換えられた座標値を用いて画像切り出しを行う。画像の切り出し位置を変更することで、表示部１６に表示される映像は切り出し位置の変更前後で変化することになる。
【００３７】
例えば、映像データの所定の位置に常に存在しているチャンネルロゴについては、同じ位置で常時切り出し処理を行うと、表示部１６の表示領域における所定の画素位置に常時表示される。しかし、本発明の実施形態では、表示部１６の表示領域に表示するための表示用映像データは、番組の属性情報に基づいて有効映像データ領域内における切り出し位置が変更されるため、切り出し位置の変更前後で映像データが変化する。換言すれば、番組の属性情報に基づいて、有効映像データ領域内の表示範囲を設定することになる。従って、表示部１６の表示領域という絶対位置に対して、ロゴの表示位置が実質的に移動する。これにより、常時一定の表示位置にロゴやキャラクタが表示され続けることで発生する表示部１６の焼き付き現象の回避が可能となる。
【００３８】
表示部１６は、上述した表示位置制御部１３より出力された放送番組の映像信号をを表示して視聴者に視聴せしめる、ＣＲＴやプラズマディスプレイ等の表示デバイスである。表示部１６は、受信装置と別に設ける場合もある。さらに音声出力部１７は、増幅器やスピーカを含み、映像信号と共に放送される音声信号を放声するもので、表示部１６と同様に、受信装置とは別に設けてもよい。
【００３９】
続いて制御部１５について説明する。制御部１５では、選局のためのチューナ部１１の制御、デコーダ部１２の制御ならびにＳＩ情報の取得、表示位置制御部１３の制御、番組変化検出部１４の制御を行う。ここで、放送番組の表示位置の移動を視聴者に知覚されることなく実行ための制御について図７のフロー図を参照して説明する。
【００４０】
制御部１５では、上述したようにチューナ部１１、デコーダ部１２を制御して所望のチャンネルを選局し、テレビジョン放送番組を表示部１６に表示する（ステップＳ７１）する。しかし、この間も、ステップＳ７２に示すようにＳＩ情報をデコーダ部１２のマルチプレクサ部１０３から取得し、常に放送番組の変化を検出する。ステップＳ７３において番組変化検出部１４が放送番組の変化を検出した場合、ステップＳ７４に進む。放送番組の変化とは、上述した通り、次番組への切り替わり時や、本編からコマーシャルへの切り替わり（あるいは、コマーシャルから本編への切り替わり）時である。
【００４１】
ステップＳ７４では、制御部１５が表示位置制御部１３を制御して、放送番組の表示位置の移動を行う。この表示位置の移動処理は、表示用映像データ領域の位置設定を変更することによって達成される。しかし、ステップＳ７３において、放送番組の変化が検出されなければステップＳ７１に戻り通常の番組視聴中での検出動作が継続される。当然ながら、ステップＳ７４で表示位置の移動が行われた後も、番組の視聴が継続されている限りは、本フローが実行され続ける。
【００４２】
以上、本発明の第１の実施形態に係るテレビジョン放送信号の受信装置によれば、ＳＩ（番組配列情報）のＥＩＴ（Event Information Table）等に記載されている番組情報から、次番組への切り替わり、コマーシャルへの切り替わり等の番組の変化を検出する。そして検出したタイミングで番組表示位置を移動させる。通常、次の番組やコマ−シャルへの切り替わりでは、野球放送のスコア表示が無くなったり、番組撮影時のアスペクト比が変わって無画部が付いたり無くなるように、表示情報そのものが大きく異なる画像へ変化する。従って、このタイミングで放送番組の表示位置を変更することで、手動でチャンネルを変える等の操作を行うことなく、かつ視聴者に違和感を与えることなく表示装置の焼き付きを回避することが可能となる。
【００４３】
なお、上記の実施形態では、有効映像データ領域から表示用映像データをトリミング（切り出し処理）し、トリミングされた映像データを拡大して表示部１６の表示領域に表示する構成を採用している。しかしながら、必ずしも映像データをトリミングする必要は無い。有効映像データ領域における表示用データ領域を設定し、当該表示用データ領域の領域サイズを表示部１６の表示領域サイズに適合するようにスケーリングすることで、本実施形態と同様の効果を得ることができる。例えば、有効映像データ領域（図５（ａ））の９０％の画像領域を表示画面のフルサイズ（１００％）に対応する表示映像データとする場合は、１０／９倍した映像データを生成する。そして、元々の９０％の領域が表示領域に合致するようにオーバースキャンすればよい。
【００４４】
＜実施形態２＞
続いて本発明の第２の実施の形態について説明するが、まず、本発明の第１の実施の形態との違いについて説明する。
【００４５】
上記で説明したように、本発明の１の実施形態では、次の放送番組への切り替わりや、コマーシャルへの切り替わり等の放送番組変化のタイミングで番組表示位置を移動させることにより、視聴者に知覚されることなく番組表示位置の移動を行った。しかしながら、本発明の第２の実施形態では、ＥＰＧや各種調整用のＧＵＩ画像を表示するタイミングで放送番組の表示位置を移動させることで、視聴者に知覚されることなく放送番組の表示位置を移動させる。このような、本発明の第２の実施形態について図面を参照しながら説明する。
【００４６】
図８は本発明の第２の実施形態に係るテレビジョン放送信号の受信装置の構成例を示すブロック図である。図８に示したブロック図は、アンテナ３０、チューナ部３１、デコーダ部３２、表示位置制御部３３、合成部３４、リモコン受信部３５、グラフィック生成部３６、制御部３７からなる。なお、表示部３８および音声出力部３９も設けられるが、本発明の第１の実施形態と同様に、必ずしも一体的に設ける必要はない。
【００４７】
ここでアンテナ３０、チューナ部３１、デコーダ部３２、表示位置制御部３３、表示部３８および音声出力３９については、本発明の第１の実施形態と同様であるため説明を割愛する。
【００４８】
合成部３４は、グラフィック生成部３６から出力されたグラフィックデータを、表示位置制御部３３より出力された視聴中の番組データに合成して表示部３８へ出力する。合成手法はグラフィックデータを任意の透過率で透過させて番組データと合成する手法や、番組データを完全に遮断することでグラフィックデータのみを表示部３８に表示させる手法などがあるが、画像の合成処理は如何なる方法を採用してもよい。グラフィックデータの表示範囲についても、グラフィックデータを表示領域の一部だけに表示する方法や、表示領域全体にグラフィックデータを表示する方法などがある。どのような表示方法でも本発明は実施可能であるが、放送番組の表示位置の変更を視聴者により知覚されないようにするためには、表示領域全体にグラフィックデータを表示する方が好適である。
【００４９】
リモコン受信部３５は、視聴者がＥＰＧや調整用ＧＵＩ画像を表示、制御させるときに使用するリモコン（図示せず）からの赤外線パルス信号を受信する受付部（受付手段）である。受信した信号は後述の制御部３７に出力し、制御部３７でリモコンコードが解析される。グラフィック生成部３６は、視聴者からのリモコン操作を制御部３７で解析した結果に応じて、ＥＰＧや各種調整用ＧＵＩ画像等のグラフィックデータを生成して合成部３４に出力する。
【００５０】
続いて制御部３７について、図８および、図９のフローチャートを用いて説明する。制御部３７では、選局のためのチューナ部３１の制御、デコーダ部３２の制御およびＳＩ情報の取得、表示位置制御部３３の制御、グラフィック生成部３６の制御、およびリモコン受信部３５からのリモコンパルス信号の解析を行う。
【００５１】
すなわち制御部３７では、上述したようにチューナ部３１、デコーダ部３２を制御して所望のチャンネルを選局し、テレビジョン放送番組を表示部３８に表示する（ステップＳ９１）。しかしこの間も、ＳＩ情報をデコーダ部３２のマルチプレクサ部１０３から取得し、ＥＰＧのグラフィックデータの生成に反映させる。そして、ステップＳ９２で、視聴者からのＥＰＧや調整用ＧＵＩ画像の表示要求があった場合、ステップＳ９３に進み、グラフィック生成部３６で、ＥＰＧや調整用ＧＵＩ画像等のグラフィックデータを生成し、出力する。そしてステップＳ９４で、制御部３７は表示位置制御部３３を制御して、第１の実施形態で上述した方法等により番組表示位置の移動を行う。その後、ユーザによる番組表示要求がなされると、ＥＰＧや調整用ＧＵＩ画像の表示を停止し、通常の番組表示に戻る。ステップＳ９２で、視聴者からのＥＰＧや調整用ＧＵＩ画像の表示要求がなければ、通常の番組視聴中に表示要求が検出されるまで処理を継続する。
【００５２】
ここで、ステップＳ９３からステップＳ９５までの処理の流れにおいて、番組表示位置の移動処理、即ち、画像の切り出し位置の変更処理はステップＳ９５で通常の番組表示を実行する前に済ませるのが好適である。ユーザが画像の移動を知覚しないようにするためにはＥＰＧやＧＵＩ画像が表示された後、通常の番組表示に移行する前に画像の切り出し位置を変更すれば、表示領域に表示される画像が移動したことに気づきにくい。よって、制御部３７による制御としては、ＥＰＧやＧＵＩ画像が表示領域に表示された時点から、番組画像の表示に戻る迄の間に表示位置制御部を動作させることになる。
【００５３】
本発明の第２の実施形態に係るテレビジョン放送信号の受信装置によれば、番組視聴中にＥＰＧや各種調整用のＧＵＩ画像を表示させる処理を利用して番組表示位置を移動させることが出来る。そのため、番組の切り替わりを待たずとも、視聴者に番組表示位置の移動による違和感を与えずに焼き付きを回避することが可能となる。もちろん上記第１および第２の実施の形態を同時に実施すれば、より頻繁な放送番組の表示位置の移動を実行でき、焼き付き防止の効果が高まる。
【００５４】
＜実施形態３＞
続いて本発明の第３の実施形態について説明する。まず、本発明の第１および第２の実施形態との違いについて説明する。
【００５５】
本発明の第１および第２の実施形態においては、放送番組中のロゴ表示や両サイドの無画部との境に発生する焼き付きを回避するために、視聴者に知覚されることなく放送番組の表示位置の移動を行った。この本発明の第３の実施形態においては、ＥＰＧや各種調整用のＧＵＩ画像等のグラフィックデータそのものによる焼き付きを回避することを目的としている。そのために、グラフィックデータの変化のタイミングでグラフィックデータの表示位置を移動させる。
【００５６】
本発明の第３の実施形態について図面を参照しながら説明する。本発明の第３の実施形態に係るテレビジョン放送信号の受信装置は、本発明の第２の実施形態で説明した図８のブロック図を用いて説明する。ここで制御部３７以外については、本発明の第１および第２の実施形態と同様であるため説明を割愛する。
【００５７】
本発明の第３の実施形態における制御部３７では、選局のためのチューナ部３１の制御、デコーダ部３２の制御およびＳＩ情報の取得、グラフィック生成部３６の制御、およびリモコン受信部３５からのリモコンパルス信号の解析を行う。これらは、基本的に、本発明の第２の実施形態と同様である。
【００５８】
ＥＰＧや各種調整用ＧＵＩ画像等のグラフィックデータの表示位置の移動を視聴者に知覚されることなく実行するための制御について、図１０のフロー図を参照して説明する。
【００５９】
制御部３７では、通常の受信動作として、上述したようにチューナ部３１、デコーダ部３２を制御して所望のチャンネルを選局し、テレビジョン放送番組を表示部３８に表示する（ステップＳ１０１）。しかし、この間もＳＩ情報をデコーダ部３２のマルチプレクサ部１０３から取得し、ＥＰＧのグラフィックデータの生成に反映させる。そしてステップＳ１０２で、視聴者からのＥＰＧや調整用ＧＵＩ画像の表示要求があった場合、ステップＳ１０３に進み、グラフィック生成部３６よりＥＰＧや調整用ＧＵＩ画像等のグラフィックデータを生成し、出力する。グラフィックデータの表示後、視聴者はこの表示を閲覧し、必要に応じて別画面に遷移するための操作などを行う。
【００６０】
ステップＳ１０４では、その操作の結果、表示画像の変更が必要か否かを検出する。ステップＳ１０４で表示画像の変更が必要であると検出された場合はステップＳ１０５に進み、グラフィック生成部３６を制御してＥＰＧや調整用ＧＵＩ画像を変更するとともに、当該画像の表示位置を移動させる処理を実行する。表示位置の移動処理の詳細は後述する。なお、ステップＳ１０２で、視聴者からのＥＰＧや調整用ＧＵＩ画像の表示要求がなければ終了する。さらに、ステップＳ１０６において、ＥＰＧや調整用ＧＵＩ画像の表示を終了する指示が入力されたか否かを検出する。表示を終了する指示が入力されれば、ステップＳ１０７へ移行する。ステップＳ１０７ではグラフィックデータの表示を停止し、通常の番組視聴状態に戻る。ステップＳ１０６において、グラフィックデータの表示を終了する指示が入力されるまでは、ステップＳ１０４に戻り、表示画像の変更の要否の検出を実行する。
【００６１】
ＥＰＧや調整用ＧＵＩ画像の表示領域は、従来、常に同一の表示領域を規定して実施されていた。即ち、これらのグラフィックデータは、特定の座標位置によって表示領域を予め定められている。本実施形態では、グラフィックデータを表示する座標位置を複数設定することで、画像の変化発生時に、グラフィックデータの表示位置を移動させることを可能にしている。従って、グラフィックデータの表示位置の移動処理は、表示したグラフィックデータから別のグラフィックデータへの切り替え等の変化発生時に、別のグラフィックデータの表示規定座標を前のグラフィックデータの表示規定座標から変更する処理である。
【００６２】
以下に上記ＥＰＧや調整用ＧＵＩ画像の表示位置の移動方法の具体例について図１１、図１２を用いて説明する。まずＥＰＧを例に上げ、表示位置の移動方法の具体例について説明する。
【００６３】
図１１はＥＰＧの表示位置の移動方法の例を示している。今、図１１の（ａ）を最初の表示状態とする。１３１は表示部３８の表示領域枠である。１３２はＥＰＧ画面における時刻表示部、１３３はＥＰＧ画面におけるチャンネル情報表示部である。また、１３４はＥＰＧ画面そのものを示している。
【００６４】
例えば視聴者が将来の時刻の番組情報を見るために、縦方向（時間軸方向）にＥＰＧ画像をスクロールさせる操作を指示入力した場合を想定する。この場合、通常は図１１の（ａ）の時刻表示および番組情報部分を変更された画像が生成され、表示されるのみである。しかしながら、本発明の第３の実施形態では、例えば図１１の（ｂ）に示すように、変更された画像の表示時に、ＥＰＧ画面の表示位置を移動させる。なお、図１１（ｂ）ではＥＰＧ画面の表示位置が、図１１（ａ）から図１１（ｂ）への変化のように縦方向に移動している。これは、視聴者によるＥＰＧの操作が画面に表示されている情報（番組情報）を仮想的に縦方向に移動させる操作であることに関係している。図１１（ａ）と図１１（ｂ）の表示切り替えをスムースに実行することで、視聴者は図１１の番組情報表示エリアに表示される情報のみが変化しているように知覚する。さらに、この表示エリアに表示される情報は縦方向への変化であるため、表示画像全体が縦方向に移動してもその移動を知覚しにくい。
【００６５】
本実施形態では、表示画面の変化内容と表示画面そのものの表示位置の移動を同一方向にすることで画面全体の移動を知覚しにくいという人間の視覚的な特性及び心理的な特性を利用している。当然ながら、表示画像の移動量は焼き付き防止効果が得られる最低限の移動量とすることは言うまでもない。本実施形態では、上述した第１の実施形態と同様、１画素の移動量があれば焼き付き防止の効果を得られる。
【００６６】
例えば視聴者が次のチャンネル（１０５チャンネル以降）の番組情報を見るために、横方向（チャンネル軸方向）にスクロールさせた場合、例えば図１１の（ｃ）に示すように横方向にＥＰＧ画像の表示位置を移動させる。この移動の考え方は上述した縦方向の移動と同様である。画像内容が横方向に移動するような操作の場合は、表示画像全体を横方向に移動させて表示するように構成している。
【００６７】
なお、縦方向または横方向のみの移動に限らず、図１１の（ｄ）に示すように縦横方向（斜め方向）にＥＰＧ画像の表示位置を移動させてもかまわない。さらに、縦横方向の区別無くスクロールする度に、第１および第２の実施形態と同様に、図６を用いて説明したように、ジグザグに表示位置を移動させてもかまわない。
【００６８】
上述したＥＰＧ画面は表示部の表示領域のうち、一部の領域にＥＰＧ画面を表示することを想定している。この場合、表示画面が変更される毎に、表示画面の表示位置を移動させることで焼き付きの防止処理を実行することになる。しかしながら、ＥＰＧ画面などのグラフィックデータを表示領域の全面に表示する場合は、第１の実施形態と同様、表示領域より大きい画像データを生成する。そして、生成した画像データの切り出し位置を変更する処理を実行することで表示位置を実質的に移動させるのと同様の効果を得ることができる。
【００６９】
次に、調整用ＧＵＩ画像の表示位置の移動方法の具体例について説明する。図１２は調整用ＧＵＩ画像の表示位置の移動方法の例を示す。今、図１２の（ａ）に示すような調整用ＧＵＩ画像の調整メニュー画面を表示しているとする。ここで視聴者がブライトネス調整を選択した場合、通常は図１２の（ｂ）のようにブライトネス調整の表示に切り替わる。これは、調整メニュー画面からブライトネス調整画面に変更される処理である。本発明の第３の実施形態では、ＧＵＩ画像の表示位置を移動させて表示させる。移動の方向は第１および第２の実施形態と同様に、図６で説明したようにジグザグに移動させても良いし、それ以外でもかまわない。
【００７０】
因みに、上記図１１、図１２に示したグラフィックデータの移動量は、理解を容易にするために図面では大きくなっている。しかしながら、実際には第１の実施形態で説明したように、１画素程度（斜め方向の場合は縦横共１画素）にする方が、視聴者に知覚されにくいことは言うまでもない。
【００７１】
本発明の第３の実施形態に係るテレビジョン放送信号の受信装置によれば、ＥＰＧや調整用ＧＵＩ画像等の表示用グラフィックデータの表示内容を変更する際に、グラフィックデータそのものの表示位置を移動させる。そのため、視聴者に対しては表示位置の移動による違和感を与えることなく、充分な焼き付き回避効果を得ることが可能となる。
【００７２】
以上、本発明の各実施形態を３つ挙げて説明したが、これらの実施形態の構成のいずれか１つだけを実施しても、焼き付き防止効果を得ることが可能である。もちろん、全て実施した場合には、グラフィックデータの表示画面に起因して生じる焼き付きを防止することができるため、製品への実装にあたっては、全ての構成を実施することが好適であろう。
【００７３】
尚、本発明の各実施形態は、テレビジョン放送を例として説明したが、インターネット放送や、ビデオオンデマンドによる映像信号の配信を受ける受信機にも適用可能である。
【００７４】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００７６】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７７】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００７８】
【図１】本発明の第１の実施形態における構成例について説明するためのブロック図を示す。
【図２】図１におけるデコーダ部の内部構成を説明するためのブロック図を示す。
【図３】本発明の実施形態の説明に供するための番組付加情報について説明するための図を示す。
【図４】同じく、本発明の実施形態の説明に供するための番組付加情報について説明するための図を示す。
【図５】本発明の実施形態における表示位置の移動について説明するための概念図を示す。
【図６】同じく、本発明の実施形態における表示位置の移動について説明するための概念図を示す。
【図７】本発明の第１の実施形態における動作について説明するためのフローチャートを示す。
【図８】本発明の第２および第３の実施形態における構成例について説明するためのブロック図を示す。
【図９】本発明の第２の実施形態における動作について説明するためのフローチャートを示す。
【図１０】本発明の第３の実施形態における動作について説明するためのフローチャートを示す。
【図１１】本発明の第３の実施形態における表示位置の移動について説明するための概念図を示す。
【図１２】本発明の第３の実施形態における表示位置の移動について説明するための概念図を示す。
【図１３】従来技術ついて説明するための概念図を示す。
【符号の説明】
【００７９】
１１、３１  チューナ部
１２、３２  デコーダ部
１３、３３  表示位置制御部
１４  番組変化検出部
１５、３７  制御部
１６、３８  表示部
３４  合成部
３５  リモコン受信部
３６  グラフィック画像生成部
【図１】
2007221269.tif 000003
【図２】
2007221269.tif 000004
【図３】
2007221269.tif 000005
【図４】
2007221269.tif 000006
【図５】
2007221269.tif 000007
【図６】
2007221269.tif 000008
【図７】
2007221269.tif 000009
【図８】
2007221269.tif 000010
【図９】
2007221269.tif 000011
【図１０】
2007221269.tif 000012
【図１１】
2007221269.tif 000013
【図１２】
2007221269.tif 000014
【図１３】
2007221269.tif 000015